(57)【要約】  本発明は、ＣＲＴ（１０）、特に、改善された電気コネクタ（４０）を有するＣＲＴに関する。管は、フェースプレートパネル（１８）と、電子銃を含むネックを有するファンネル型の後部とを含む。首部は、閉じた端部のステム（３６）で終端し、ステムを通って電子銃の電線（３４）が延在し、ステムの外面で終端する。電気コネクタは、電子銃に電線を脱着可能に接続するために設けられる。コネクタは、首部の径よりも大きな径で画成される貫通通路を有する。首部は、通路内に挿入され、コネクタが首部の外面に固定される。通路の近傍では、複数の一体型弾性リーフスプリング（４６）が、複数の離間した周位置でステムに向かって延在する。リーフスプリング要素は、端子係合のための基部要素（４８）と、ＣＲＴへの電気的接続を提供するため電子銃の電線に向けて突出及び付勢される先端部とを含む。コネクタの通路は、好ましくは、印刷回路基板若しくはリーフスプリングの延在基点となる他の電気的端子内の開口により画成される。
2005512295.tif 000002
【特許請求の範囲】
【請求項１】
陰極線管の首部内の電子銃に電線を脱着可能に結合する電気コネクタを有する陰極線管において、前記コネクタは、
首部の径より大きな径により画成され、首部の外面を囲繞する貫通通路と、
複数の周方向に離間した位置で前記コネクタから前記電子銃の電線に向かって延在する複数の弾性リーフスプリングとを含み、前記リーフスプリングは、前記管の電気構成要素との端子係合のための基部要素と、前記電線に向かって突出及び付勢され、前記電線と接触する先端部とを含む、陰極線管。
【請求項２】
前記電気コネクタは、前記首部の外面を囲繞する前記貫通通路に沿って形成された円筒形のクランプを更に含む、請求項１記載の陰極線管。
【請求項３】
前記コネクタの貫通通路は、前記管の印刷基板回路の開口により形成される、請求項１記載の陰極線管。
【請求項４】
フェースプレートパネルと、電子銃を含み且つ端部が閉じたステムで終端する首部を有するファンネル型後部とを含み、前記電子銃の電線が前記ステムを通って前記ステムの外面まで延在する、陰極線管であって、
前記首部に固定され、首部の径より大きな径により画成され且つ前記首部のステムに向かって延在する貫通通路を有する電気コネクタと、
前記コネクタに固定された端子接続用の基部要素を含む複数のリーフスプリングとを含み、それぞれのリーフスプリングは、ステムに向かって基部要素から延在し、先端部を有し、該先端部は、前記管の長手軸に向かって付勢され、前記首部に前記コネクタを固定する際に電子銃の電線に接続する、陰極線管。
【請求項５】
前記リーフスプリングは、周方向に離間されている、請求項４記載の陰極線管。
【請求項６】
前記リーフスプリングは、前記リーフスプリングが相互に電気的に絶縁されるように絶縁される、請求項４記載の陰極線管。
【発明の詳細な説明】
【発明の詳細な説明】
【０００１】
［発明の分野］
本発明は、一般的には陰極線管に係り、改善された電気コネクタを有する陰極線管に関する。
【０００２】
［発明の背景］
本発明は、陰極線ディスプレイ管に係り、特にかかる管の首領域での電気的接続であって、管容器内に動作電圧を運ぶ多数の電導性ピンを通過及び絶縁する電気的接続に関する。
【０００３】
テレビジョンのピクチャ管や、種々の情報を表示するＣＲＴモニタで使用される陰極線管は、典型的には、狭い首部を有し、首部は、当該管の首部を介して電子銃から軸方向に延在する複数の電導性ピンにより終端する。ピンは、多数の近接して離間する低電圧ピンと、低電圧ピンから離間した少なくとも１つの高電圧ピンとを含む。ピンへの電気的接続は、典型的には、互いに摺動式に接触する複数の摩擦部材により接続を提供するソケットによりなされる。当該部材は、複数のリード線に取り付けられ、リード線は、電源及び走査回路のような補助電気シャーシの種々の構成要素への接続をなす。
【０００４】
スリムなプロファイルを備えるモニタ及びテレビジョンの設計を可能とする管を製造することが望ましくなっている。即ち、深さが低減されたキャビネットを備えるモニタ及びテレビジョンである。上述の如く従来のソケットは、前後寸法により測定されるような管全体の長さを伸ばすという、好ましくない特徴を有する。この単一の幾何的な寸法が、管キャビネットの深さを増大させることになる。管の全長を低減する公知のアプローチは、管の長手軸に対する電子銃ビーム軌跡の偏向角を増加させ、これにより、管の鑑賞スクリーンの近くに電子銃を持ってきて管の全長を短くすることである。例えば、典型的な２０インチ画面のＣＲＴは、９０度の偏向角を有する。偏向角を１１０度に増加させることは、約３インチ管の全長を減少させる。偏向角の更なる増加も可能であるが、管の長さ低減の効果が、偏向角の増加と共に減少する。例えば、偏向角を２０インチ画面ＣＲＴの１１０度から１３０度まで増加させることは、約２．３インチの深さの低減をもたらす。電子ビームの偏向角を増加させることは、ＣＲＴの電力消費を増加させるような偏向ヨークに供給される電流及び偏向周波数の増加を含む他の背反を生成する傾向にある。
【０００５】
それ故に、管の全長を低減する追加的な手段を提供することは望ましい。
【０００６】
［発明の概要］
電子銃に電線を脱着可能に結合する陰極線管電気コネクタが提供される。コネクタは、首部の径より大きな径により定義され首部の外面を囲繞する貫通通路を有し、首部の外面に固定される。通路付近では、複数の一体型弾性リーフスプリングが、複数の周方向に離間した位置で軸部（ステム）に向かって延在する。リーフスプリング要素は、端子係合用の基部要素と、陰極線管への電気的接続を提供するために電子銃の電線に向かって突出及び付勢される先端部とを有する。コネクタの通路は、好ましくは、リーフスプリングの延在の基点となる他の電気端子若しくは印刷回路基板内の開口により画成される。
【０００７】
本発明の好ましい実施例が、添付図面を参照して以下で詳説される。
【０００８】
［詳細な説明］
図１に示すように、公知の陰極線管１０は、通常的には、首部１４、ファンネル１６及びフェースプレート１８を含む気密シールされた真空化ガラス容器１２からなる。ファンネル１６は、フェースプレート１８及び首部１４に向かって陽極ボタン２０から延在する内部電導性コーティング（図示せず）を有する。シャドーマスクフレーム組立体２４は、スクリーン２２に対して所定量だけ離間して取り外し可能に搭載される。首部１４の中心には、３つのインライン電子ビーム（図示せず）、センタービームと２つのサイドビーム若しくはアウタビームを生成してテンションマスクフレーム組立体２４を通ってスクリーン２２に収束経路に沿って方向付ける電子銃が設けられる。
【０００９】
ＣＲＴ１０は、ファンネル−首部間の結合部の近傍に示す外部磁気偏向ヨーク２８を用いて使用されるように設計されている。ヨーク２８は、作動時、３つのビームを磁場に晒して、スクリーン２２上の長方形ラスタ内でビームを水平方向及び垂直方向に走査させる。
【００１０】
図２に示すように、典型的な電子銃２２は、管の首部１４内に中心に搭載される複数の離間した電極を含む。上述の容器の外部と内部との間の電気的な接続は、陽極ボタン２０とステムピン２８である。ステムピン２８は、近接的に離間したて低電圧ピンと、低電圧ピンから離間した少なくとも１つの高電圧ピンとを含む。低電圧ピンにより通される電位は、例えば、一ボルト未満から一キロボルトの範囲であってよい。高電圧ピンにより通される電位は、典型的には、６から１２キロボルト若しくはそれ以上の範囲である。あるテレビジョン管のアプリケーションでは、“陽極電位”と称される追加の非常に高い電位は、２５−３２キロボルトの範囲であり、陽極ボタン２０により管容器を通って導入される。ピンへの電気接続は、典型的には、各ステムピン２８に摺動式に接する複数の摩擦部材（図示せず）による接続を提供するソケット３０によりなされる。ソケット３０の摩擦部材は、複数のリード線に取り付けられ、複数のリード線は、電源や走査回路３２のような、補助電気シャーシの種々の構成要素への接続をなす。
【００１１】
図３は、本発明による電気コネクタ及び陰極線管の部分的に断面を含む詳細な側面図である。陰極線管は、首部１４を含み、首部１４は、中心に配置される電子銃２２を備え、首部１４から軸方向に延在する関連する電線３４を備える。首部１４の端部は、端部が閉じたステム３６で終端し、ステム３６を通って電線３４は、管の外面まで延在する。電線３４は、ステム３６の外面上の接触ボタン３８を含む。理解されるように、電線３４及び関連する接点３８は、説明の目的で図示されたものよりも多くあってもよい。典型的には、電線の数は、１つの銃に対して６若しくはそれ以上でありうる。本発明の範囲は、図示される電線や接点の数に限定されることはないが、本発明が適用される標準的な銃構成若しくは通常でない銃構成の双方をカバーするように意図している。本発明を具現する電気コネクタ４０は、ステム近傍で首部１４の外面に固定され、後述する態様で電子銃のリード線との電気的な接触を実現する。
【００１２】
図３，４を参照するに、電気コネクタ４０は、首部の外面の径よりも大きい径により画成され且つ管のフェースプレート１８に向かってステム３６から離れる方向に延在する貫通通路４２を有する。電気コネクタ４０は、首部１４の外面を囲繞する貫通通路に沿って形成される円筒形クランプ４４を含み、円筒形クランプ４４は、首部の近傍の端部若しくはステム３６近傍にコネクタ４０を固定する。理解されるように、電気コネクタ４０は、クランプ４４の代わりに接着剤等を用いて首部の外面に固定されてよい。複数の一体型弾性リーフスプリング４６が、コネクタ４０から接点３８に向かって複数の周方向の離間した位置で延在している。リーフスプリング４６は、管の種々の電気構成要素との端子係合のための基部要素４８と、コネクタの長手軸方向に向かって突出及び付勢され、電線３４の接点３８との当接のための先端部５０とを有する。弾性リーフスプリング４６は、基部要素４８から、関連する接点３８及び電子銃リード線３４の数及び位置に対応した複数の離間した周方向の位置で延在する。スプリング４６及び接点３８は、電圧の大きな範囲で動作し、互いに及びグラウンドから電気的に絶縁でき、管の周辺構成要素にダメージを与える放電を防止する。幾つかのアプローチが絶縁を実現するために使用でき、例えば、スプリング間の単位材料厚さに対して高い電気的な遮断電圧を有する絶縁材料を設けることである。更に、異なる電圧で動作する接点８及びスプリング４６は、放電が抑制されるように離間されてもよく若しくは個々に絶縁されてもよい。コネクタ４０はネックに固定されるので、管の全体軸長は、リーフスプリング３６の外形分及びステム３６の表面から接点３８の拡張分だけ低減される。
【００１３】
好ましくは、電気コネクタ４０は、種々の電気構成要素との一体的な端子接点として機能する基部要素４８を備える回路基板を形成する。回路基板がコネクタとは別であり、リーフスプリングが上述の如く首部１４の外面に固定されるが、別の印刷回路基板に基部要素４８が適切な手段により接続されている電気コネクタ４０の改良を製造することは、本発明の範囲内であると理解されるべきである。
【００１４】
本発明の好ましい実施例について上述したが、本発明の他の及び更なる実施例が、請求項により定義される本発明の範囲から逸脱することなく考えられ得る。
【図面の簡単な説明】
【００１５】
【図１】先行技術による内部で接続される電子銃を備えたＣＲＴの一例を示す断面図である。
【図２】先行技術による電子銃の接続部を示すＣＲＴの部分的な断面図である。
【図３】図４のライン３−３に沿った本発明の部分的な断面図である。
【図４】図３に示す本発明の平面図である。
【図１】
2005512295.tif 000003
【図２】
2005512295.tif 000004
【図３】
2005512295.tif 000005
【図４】
2005512295.tif 000006
【国際調査報告】
2005512295.tif 000007
2005512295.tif 000008
2005512295.tif 000009